(57)【要約】      （修正有）【課題】連結索をブイ中空内部に載設したリールに巻回し、リール内部に設けた渦巻バネにて連結索に常時ブイ方向への張力を与えて、潮位の変化に従って連結索が短縮、延長して、海底の対象物の位置を正確に標識する位置精度向上標識ブイを提供する。【解決手段】中空円球状の標識ブイの下方を分割し、該分割部分にリール５を軸支した自動巻取装置４を載設し、連結索６を該リールに巻回し、且つリール内部に捲回して設けた適切なバネ定数を有する渦巻バネにてリールを介して連結索に常時ブイ方向への張力を与える自動巻取装置を、使用時には該自動巻取装置を分割ブイ上部に挿入組み込んで一体化した標識ブイとして、潮位の変化に従って連結索が短縮、延長して、海底の対象物の位置を正確に標識する事ができる。【選択図】図１
0003117566.tif 000002
【実用新案登録請求の範囲】
【請求項１】
中空円球状の標識ブイを上部、下部に分割し、下部にブイの外側下方にある錘を懸吊した連結索を外周に巻回し該連結索の縮延を可能にし、それに伴う回動と連動して内周に捲回し他端を回転軸に固定して円周方向に付勢する渦巻バネを有するリールを該回転軸に軸支する自動巻取装置を載設した自動巻取装置設置ブイ部を分割した上部のブイ本体中空部に該自動巻取装置を挿入してパッチン錠等で一体化した位置精度向上標識ブイ。
【請求項２】
外周に連結索を巻回し、円周方向に付勢して内周に捲回する渦巻バネにて構成するリールに、回転軸を同軸にして増設渦巻バネ取付具を連設し、該増設渦巻バネ取付具に外周端を固定し円周状に捲回して他端を回転軸に固着して回転軸の回動により巻き取られる渦巻バネを設け、リールの渦巻バネを巻き終ると回転軸の回転動力の伝達により該渦巻バネ取付具の渦巻バネが巻かれ円周方向の付勢力を発生し、連結索を更に伸延可能とする増設渦巻バネを設けることを特徴とする請求項１に記載の位置精度向上標識ブイ。
【請求項３】
リールの側板片側面をリール歯車とし、該リール歯車に係合する軸歯車を有する超小型モータを設け、該超小型モータを駆動、制御する電池、スイッチをブイの中空上部に配設して、ブイの撤去作業の際海底より錘を引き上げるためリールをモータの回転力にて回転し連結索を巻き取る自動巻取装置に超小型モータを載設することを特徴とする請求項１ないし請求項２に記載の位置精度向上標識ブイ。
【考案の詳細な説明】
【技術分野】
【０００１】
本考案は海底の対象物を標識する海水面に浮遊したブイが、水面の上下により、対象物より相当離れた位置に移動して、海底の対象物を正確に示されない状態を改善する位置精度向上標識ブイに関するものである。
【背景技術】
【０００２】
海底に探索が必要な対象物があり、探索作業が数日間必要である場合、該対象物に極めて近くに標識ブイの連結索にて懸吊した錘を配置し、海面上の標識ブイにて該対象物の海底位置を確認することができた。
【０００３】
海水浴場にて海底が浅瀬から急激に傾斜して深度が深くなる地点の境界線に、標識ブイを複数配置して安全対策を行っていた。同様漁船等の座礁等を防止するため、急激に浅瀬になる境界線に標識ブイを配置して、不慮の事故を防いでいた。
【０００４】
標識ブイを撤去する場合、手動にて連結索に懸吊した錘を引き上げる事により、撤去作業が行われていた。
【特許文献１】実開平07-038985
【特許文献２】実開平06-083594
【特許文献３】実開平05-052782
【考案の開示】
【考案が解決しようとする課題】
【０００５】
標準の標識ブイでは、連結索に懸吊した錘を海底の対象物の極めて近くに設置した場合、連結索の長さは、設置時の海底から海面の水深に固定され、潮の干満に従って標識ブイは、その連結索の固定長により海面を移動し、海底の目的対象物より大きく離れて、潜水者が目的対象物を発見するのに大きな労力、無駄が生じていた。
【０００６】
海底が浅瀬から急傾斜に深くなっている場合も、その境界線に設置された危険防止の目的の標識ブイは連結索の長さが固定されているため、潮の干満により正確にその位置を示すことは出来ず安全上大きな問題があった。
【０００７】
標識ブイを撤去する場合、手動にて連結索を引き上げて懸吊した錘を引き上げる撤収作業は、相当の深度がある場合多大な労力と時間を費やして行われていた。
【課題を解決するための手段】
【０００８】
本考案は従来の標識ブイの欠点を改善するために、標識ブイの内部中空部に外周に連結索６を巻回し内側に渦巻バネ８を捲回したリール５を設け、該渦巻バネ８の円周方向の付勢力により常時連結索６に上方への張力を持たせる事により、潮位による水面の高低に従ってその先端に錘２７を懸吊した連結索６が水位の上下で渦巻バネ８の付勢力で巻取られ、又は標識ブイの浮力が該付勢力に勝って延長されることにより延長、短縮することができ、潮位に関係なく海底の対象箇所をより正確にかつ確実に標識出来るように改善した位置精度向上標識ブイに関するものである。
【０００９】
取手１０を設けた円球状のブイ１を上部のブイ本体２と下部の自動巻取装置設置ブイ部３に分割し、該自動巻取装置設置ブイ部３にはリール固定具２０を嵌挿する自動巻取装置４を設け、該自動巻取装置４は自動巻取装置設置ブイ部３に載設する。ブイ本体２及び自動巻取装置設置ブイ部３には各々パッチン錠受部１２、パッチン錠１１が付設されており、標識ブイ使用時にはブイ本体２の球状内部中空部に自動巻取装置４をＸ方向に挿入し自動巻取装置設置ブイ部３をパッチン錠１１にてブイ本体２に固定しブイ１を構成して使用する。
【００１０】
リール固定具２０には回転軸２３を中心に回動するリール５を軸支し該リール５の外周部に連結索６を巻回し内周部には渦巻バネ８を捲回してあり、該連結索６は自動巻取装置４、自動巻取装置設置ブイ部３を貫通してブイ１の下部外側に連繋し、その先端には海底に沈める錘２７を懸吊するためのフック９を締着してあり常時渦巻バネ８により上方への張力を受けている。
【００１１】
水深が非常に深くリール５に捲回した渦巻バネ８を巻き終わっても海底まで錘２７が到達できない場合、リール５に増設渦巻バネ取付具７を連設し該増設渦巻バネ取付具７にリール５の内周に捲回した渦巻バネ８の回転軸２３を同軸として捲回する増設渦巻バネ１９を設ける。連結索６がリール５の渦巻バネ８を巻き終わると回転軸２３より動力が伝達され増設渦巻バネ１９を巻き始めその増設分、連結索６を延長できより深い水深に錘を降下し設置できる。
【００１２】
リール５の側板片側面をリール歯車１４とし、超小型モータ１３のモータ軸歯車１５を該リール歯車１４に係合して設置する。ブイ本体２には該超小型モータ１３を駆動する電池及びスイッチ１８を設け、それを超小型モータ１３と直列配線し標識ブイ１を撤収する際海底に設置した錘２７を引き上げる時点で、スイッチ１８をオンすることにより該超小型モータ１３を駆動し、リール歯車１４にて連結索６を巻き取る方向にリール５を回動して錘２７を容易に引き上げて撤収作業を行う。
【考案の効果】
【００１３】
海底に探索が必要な対象物があり探索作業が数日間必要で標識ブイを設置した場合、従来、潮位の干満により標識ブイの連結索が固定長であるため該標識ブイは潮位に従い海面を移動し海底の目標位置から大幅にずれる場合があったが、本考案の渦巻バネにより長さが可変である連結索を常時上方に張力を持たせた位置精度向上標識ブイを用いることにより、ほぼ正確に海底の対象物を標識することが可能となり、探索に要する労力、時間を低減することができる。
【００１４】
水深が相当の深さがあり標準の連結索では海底まで錘が届かない場合、リールに連設する渦巻バネを増設し充分な長さに延長した連結索を使用することにより、増設渦巻バネの付勢力による上方への張力を保つことができ、水深が相当に深い場合もその対象物の位置をほぼ正確に標識することができ、探索に要する労力、時間を大幅に低減することができる。
【００１５】
海底が浅瀬から急激に傾斜して深度が深くなる地点の境界線に標識ブイを安全対策のため複数配置した場合、従来の連結索の長さは固定であり潮位により標識ブイは大きく移動してしまい正確な境界線を示さなくなるが、本考案の長さが可変で、常時上方への張力を受けている連結索を有する位置精度向上標識ブイを用いる事により標識ブイの潮位による移動を最小限に留める事ができ、安全性が格段に向上し不慮の事故を防ぐことができる。
【００１６】
標識ブイを撤収する際の海底から錘を引き上げる作業は大変な労力と時間を要するが、本考案のリール部に超小型モータを設けることにより該超小型モータに歯車又は摩擦車にて係合するリールを駆動して連結索を巻き取ることにより錘を引き上げることが可能となり、撤収作業の労力、時間が大幅に改善される。
【考案を実施するための最良の形態】
【００１７】
取手１０を設けた円球状のブイ１を上部のブイ本体２と下部の自動巻取装置設置ブイ部３に分割し、該自動巻取装置設置ブイ部３にはリール固定具取付ボルト２１で固定したリール固定具２０を嵌挿した自動巻取装置４を設け、該自動巻取装置４は自動巻取装置設置ブイ部３に載設する。ブイ本体２及び自動巻取装置設置ブイ部３には各々パッチン錠受部１２、パッチン錠１１が付設されており、標識ブイ使用時にはブイ本体２の球状内部中空部に自動巻取装置４をＸ方向に挿入し自動巻取装置設置ブイ部３をパッチン錠１１にてブイ本体２に固定しブイ１を構成して使用する(図１)。
【００１８】
リール固定具２０に設けた回転軸２３を中心に回動するリール５を軸支し、該リール５の外周部に連結索６を巻回し、また渦巻バネ８の外周辺を規制するための渦巻バネ押えボルト２４の内側の内周部には渦巻バネ８を捲回する。該渦巻バネ８の外周端は渦巻バネ固定軸２２に接続固定し、その内側他端は回転軸２３に固定する。この場合、リール５は回転軸２３を中心に回動するが、回転軸２３自身は固定されており回転しない。連結索６が延ばされていない状態では渦巻バネ８は初期状態にあり連結索６が伸長した場合に該渦巻バネ８が捲かれる事ができるに充分な間隙を保って捲回する（図１、図４）。
【００１９】
錘２７を海底の対象物近辺に降下してゆくと連結索６はリール５を回動して伸長されていき、渦巻バネ固定軸２２にその一端を固定した渦巻バネ８は、その回転にしたがって他端を固定されている回転軸２３に巻かれていき、連結索６は渦巻バネ８の付勢力により巻取り方向、つまり海底から上方に張力を得る。該渦巻バネ８のバネ定数は潮位により容易に連結索６が伸長されず、且つ対象物のほぼ真上にブイ１を留める程度に伸長でき保持できるものを選定する（図４）。
【００２０】
水深が非常に深くリール５に捲回した渦巻バネ８では錘２７が海底まで届かない場合、リール５に増設渦巻バネ取付具７を連設し該増設渦巻バネ取付具７にはリール５の回転軸２３と同軸に内側端を固定し、また外周端を増設渦巻バネ固定軸２６に固定して捲回する増設渦巻バネ１９を設ける。該増設渦巻バネ１９の外周は増設渦巻バネ押えボルト２５にて、その捲回範囲を内側に制限規制する。また錘２７を懸吊した連結索６の長さは、水深の増加分を加えてリール５に巻回する（図２、図５）。
【００２１】
錘２７を海底に下降させてゆくと連結索６はリール５を回転させ該リール５の外周から下部外部に解かれてゆき、それに従って渦巻バネ固定軸２２に固定している渦巻バネ８は回転軸に巻き付き、連結索６に下降する力に反する張力を発生する。該連結索６を相当に伸長して下降させると、渦巻バネ８は回転軸２３に完全に巻き付き、更に錘２７を下降させると該回転軸２３は回転を始め増設渦巻バネ１９の回転軸２３と同軸であるため、その動力により増設渦巻バネ取付具７の増設渦巻バネ１９は該回転軸２３に巻き取られ、該増設渦巻バネ１９の他端は増設渦巻バネ固定軸２６に固定されているため連結索６に張力を発生する（図４、図５）。
【００２２】
リール５の側板方側面をリール歯車１４とし、超小型モータ１３のモータ軸歯車１５を該リール歯車１４に係合して設置する。ブイ本体２には該超小型モータ１３を駆動する電池及びスイッチ１８を設け、超小型モータ１３を電池からの導線１７、並びにスイッチからの導線１６により直列配線し標識ブイ１を撤収する際海底に設置した錘２７を引き上げる時点で、スイッチ１８をオンすることにより該超小型モータ１３を駆動し、リール歯車１４にて連結索６を巻き取る方向にリール５を回動して錘２７を容易に引き上げて撤収作業を行う。リール歯車１４及びモータ軸歯車１５は、各々摩擦車で構成し摩擦力により連結索６を巻き上げ錘２７を引き上げても良い。なお、ブイ本体２に設けた電池を蓄電型を使用する場合、錘２７を海底に下降する時点で、スイッチ１８を逆転方向にオンすると、超小型モータ１３は発電機として機能し電池を充電するので該電池の耐用性を向上させることができる（図３）。
【実施例１】
【００２３】
直径３５０ｍｍφの中空円球状ブイの下端より６０ｍｍの箇所を円周状に分割して、ブイ本体と自動巻取装置設置ブイ部とに分離する。分割された自動巻取装置設置ブイ部に高さ２００ｍｍ、幅１００ｍｍの自動巻取装置を載設し、該自動巻取装置には直径１８０mmφのリールをリール固定具の回転軸に軸支し、該回転軸を軸に回動できるリールの内部は回転軸から直径１２０mmφの範囲に連結索が２０ｍ延長可能な長さの渦巻バネを締代を充分に設けて捲回する。また直径１４０ｍｍφから１６０ｍｍφ間に連結索を２０ｍ巻回し、その先端はブイ下部外部に延長してフックを介して５００ｇの錘を懸吊する。
【００２４】
海底３０が浅瀬から急傾斜に深くなっている場合、その境界線に危険防止のため錘２７を下降、配置し標識ブイ１を海面に浮かべてその位置を確認する。例えば満潮時の潮位２８で水深１５ｍで標識ブイ１を設置した場合、その位置は満潮時においては危険境界線を正確に示しているが、標識ブイ１の連結索が固定長の場合、干潮時の潮位２９においては、その固定長だけ移動し境界線よりαの距離、８ｍ〜１０ｍ移動し境界線を正確に示さない。本考案である位置精度向上標識ブイを用いると、連結索は常時渦巻バネにより張力を受け、潮位が下がって来た場合連結索はリールに巻き取られ境界線より大きく移動する事は無くβの位置１ｍ〜１．５ｍ以内に留まり、潮位が下がった場合でも境界線をほぼ正確に示すことが出来た（図６（ｃ））。
【実施例２】
【００２５】
水深２０ｍを超える場合、渦巻バネ及び連絡索を増設する必要があり、リールに連設して高さ１４０ｍｍ、幅１４０ｍｍの増設渦巻バネ取付具にリール内渦巻バネの回転軸を同軸とし、２５ｍ分の連結索の延長可能な捲数の増設渦巻バネの一端を該回転軸に固定、他端を増設渦巻バネ取付具に固定し、回転軸から直径１２０ｍｍφの範囲に捲回して増設渦巻バネを増設渦巻バネ取付具に設ける。同様に、連結索は２５ｍ増長してリールに巻回する。この機構により最長４５ｍまでの海底まで錘２７を下降、設置が可能となった。
【００２６】
海底３０が４０ｍ前後の深度がある場合、対象物３１の付近に錘２７を設置し、連結索６に連結した標識ブイ１は、連結索６の長さが固定している場合は干潮時の潮位２９になると、満潮時の潮位２８の位置よりαの位置、２５ｍ〜３０ｍ移動し海底３０の対象物３１の位置とは異なる位置を示すことになる。（図６（ａ））。本考案の位置精度向上標準ブイを用いると連結索６は常時渦巻バネ及び増設渦巻バネにより張力を受けているため、潮位が下がってきた場合も連結索６はリールに巻き取られ元の位置より大きく移動する事無く、βの位置、２ｍ〜３ｍ以内に留まり対象物３１のほぼ正確な位置を示すことが出来た（図６（ｂ））。
【実施例３】
【００２７】
海底３０に設置した錘２７を引き上げるため、直径１２．４ｍｍφ、長さ３０．８ｍｍで軸が歯車を有する超小型モータをリール側板片側面の歯車に係合して設置し、また直流電源１２Ｖの電池、及びスイッチをブイ本体に配置する。ブイ撤収作業を深度約４０ｍから錘２７を引き上げる場合、手動にての作業では約２０分〜３０分の時間がかかるが、該超小型モータを使用しての引上げ作業では約５分〜８分で撤収作業を終了し、労力、時間共に大きな節減となった。
【産業上の利用可能性】
【００２８】
海難事故等、海底に沈んだ対象物を調査する必要性がある場合、一般的にその作業は潜水員により行われ、また調査は数日間にわたる場合が普通である。このため、海底の対象物の目印として標識ブイを用いるが、本考案の位置精度向上標識ブイを用いる事により、従来の標識ブイと比較して、適格に対象物を早期に発見でき潜水員の労力、時間の大幅な節減が可能である。
【００２９】
海水浴場等で、浅瀬から急激に傾斜して深度が深くなる境界線上に、安全対策として一般人が立ち入り禁止の標識として、複数の標識ブイを設置されるが、従来の標識ブイは、潮位の干満でその位置が不正確になり危険性があった。本考案の位置精度向上標識ブイを使用すれば、従来と比較して、より正確に危険地域を表示することが出来、不慮の事故を防ぐのに大いに有用である。  
【図面の簡単な説明】
【００３０】
【図１】連結索を外周に、渦巻バネを内周に捲回したリールを有する標識ブイ状態図。
【図２】リールに連設して増設渦巻バネを有する標識ブイ状態図。
【図３】超小型モータの軸歯車とそれに係合したリール歯車を有する標識ブイ状態図。
【図４】Ａ−Ａ断面図。
【図５】Ｂ−Ｂ断面図。
【図６】標準型標識ブイと本考案の位置精度向上標識ブイの使用状態図。
【符号の説明】
【００３１】
１    ブイ
２    ブイ本体
３    自動巻取装置設置ブイ部
４    自動巻取装置
５    リール
６    連結索
７    増設渦巻バネ取付具
８    渦巻バネ
９    フック
１０    取手
１１    パッチン錠
１２    パッチン錠受部
１３    超小型モータ
１４    リール歯車
１５    モータ軸歯車
１６    スイッチからの導線
１７    電池からの導線
１８    スイッチ
１９    増設渦巻バネ
２０    リール固定具
２１    リール固定具取付ボルト
２２    渦巻バネ固定軸
２３    回転軸
２４    渦巻バネ押えボルト
２５    増設渦巻バネ押えボルト
２６    増設渦巻バネ固定軸
２７    錘
２８    満潮時の潮位
２９    干潮時の潮位
３０    海底
３１    対象物
【図１】
0003117566.tif 000003
【図２】
0003117566.tif 000004
【図３】
0003117566.tif 000005
【図４】
0003117566.tif 000006
【図５】
0003117566.tif 000007
【図６】
0003117566.tif 000008